(57)【要約】【課題】コネクタハウジングの嵌合途中で嵌合を取り止めて離脱させようとした場合に、先に仮係止したコネクタハウジングがパネルから脱落しないようにする。【解決手段】ロック凸部８０に脱落防止リブ８５を形成し、第２のコネクタハウジング６０を離脱させるときに、ロックアーム３０の係合部３１が脱落防止リブ８５に引っ掛かることで、第１のコネクタハウジング１０を第２のコネクタハウジングの離脱動作により引き移動させて、第１のコネクタハウジングをパネルに再係止させるようにした。【選択図】図９
2014053206.tif 000002
【特許請求の範囲】
【請求項１】
パネルの取付孔に前記パネルに直交する方向の一方側から装着される第１のコネクタハウジングと、前記パネルを挟んで前記パネルに直交する方向の他方側から前記取付孔を通して前記第１のコネクタハウジングに嵌合される第２のコネクタハウジングと、を備えたパネル固定型のコネクタ装置において、
前記第１のコネクタハウジングには、前記パネルの前記取付孔に前記一方側から挿入された際に前記取付孔の周縁にアームの外側傾斜面が摺接することで初期位置から内方に撓み変形し、更に所定位置まで挿入された際に撓みから初期位置に復帰することで係止部を前記取付孔の周縁に係止させ、それにより、前記一方側への第１のコネクタハウジングの移動を阻止した状態で前記パネルの前記取付孔に前記第１のコネクタハウジングを仮係止する仮係止アームが設けられ、
前記第２のコネクタハウジングには、
前記パネルの前記取付孔の周縁に係止することで前記第２のコネクタハウジングを前記パネルに本固定する本固定手段と、
前記仮係止アームが前記パネルの前記取付孔に係止している状態の前記第１のコネクタハウジングに前記第２のコネクタハウジングを嵌合させる際に、その嵌合動作に伴って前記仮係止アームを内方に撓ませて前記パネルの前記取付孔に対する前記仮係止アームの係止を解除する仮係止解除手段と、が設けられ、
更に、前記第１のコネクタハウジングと前記第２のコネクタハウジングには、
前記仮係止アームが前記パネルの前記取付孔に係止している状態の前記第１のコネクタハウジングに前記第２のコネクタハウジングを嵌合させる際に、前記第１のコネクタハウジングと前記第２のコネクタハウジングとが互いに完全嵌合するまでは前記第１のコネクタハウジングが前記パネルに対して相対移動することを規制し、且つ、前記第１のコネクタハウジングと前記第２のコネクタハウジングとが互いに完全嵌合した状態においては前記第１のコネクタハウジングが前記パネルに対して相対移動することを許容する移動規制許容手段と、
前記第１のコネクタハウジングと前記第２のコネクタハウジングとが互いに完全嵌合した際に前記第１のコネクタハウジングと前記第２のコネクタハウジングとを互いにロックするメインロック手段と、
前記仮係止アームが前記パネルの前記取付孔に係止している状態の前記第１のコネクタハウジングに前記第２のコネクタハウジングを中途まで嵌合させることで、前記仮係止解除手段により前記仮係止アームの前記パネルの前記取付孔に対する係止を解除させ、その状態で、前記第１のコネクタハウジングに対する前記第２のコネクタハウジングの嵌合を中止して前記第２のコネクタハウジングを前記第１のコネクタハウジングから離脱させようとした際に、前記第２のコネクタハウジングの離脱動作によって、前記パネルの前記取付孔に対する係止を解除されている状態の前記仮係止アームが前記パネルの前記取付孔に再係止する位置まで前記第１のコネクタハウジングを引き移動させて、前記仮係止アームを前記パネルの前記取付孔に再係止させ、それにより、前記第１のコネクタハウジングの前記パネルからの脱落を阻止する脱落防止手段と、が設けられている
ことを特徴とするパネル固定型のコネクタ装置。
【請求項２】
前記メインロック手段は、前記第１のコネクタハウジングに設けられたロックアームと、前記第２のコネクタハウジングに設けられたロック凸部とからなり、前記第２のコネクタハウジングを前記第１のコネクタハウジングに嵌合する際、嵌合途中では、前記ロックアームと前記ロック凸部とが互いに干渉することで前記ロックアームが初期位置から外側に撓み、更に嵌合を進めて完全嵌合状態になったときに、前記ロックアームが撓みから初期位置に復帰することで、前記ロックアームに設けられた係合部が前記ロック凸部と係合して、それにより前記第１のコネクタハウジングと前記第２のコネクタハウジングをロックする構成とされ、
前記ロックアームと前記ロック凸部は、前記パネルの前記取付孔に前記ロックアームの前記係合部が挿入された状態で、前記第２のコネクタハウジングが前記第１のコネクタハウジングに嵌合され、嵌合途中において前記ロックアームと前記ロック凸部とが互いに干渉して前記ロックアームが外側に撓んだ状態のとき、前記ロックアームの前記係合部が前記パネルと干渉することで、前記第１のコネクタハウジングと前記第２のコネクタハウジングとが互いに完全嵌合するまでの間、前記第１のコネクタハウジングが前記パネルに対して相対移動することを規制し、且つ、前記第１のコネクタハウジングと前記第２のコネクタハウジングとが互いに完全嵌合した状態においては、撓みから初期位置に復帰した前記ロックアームの前記係合部が前記パネルと干渉する位置から外れることで、前記第１のコネクタハウジングが前記パネルに対して相対移動することを許容する前記移動規制許容手段の役目を果たす構成とされ、
更に前記ロック凸部には、前記仮係止アームが前記パネルの前記取付孔に係止している状態の前記第１のコネクタハウジングに前記第２のコネクタハウジングを中途まで嵌合させることで、前記仮係止解除手段により前記仮係止アームの前記パネルの前記取付孔に対する係止を解除させ、その状態で、前記第１のコネクタハウジングに対する前記第２のコネクタハウジングの嵌合を中止して前記第２のコネクタハウジングを前記第１のコネクタハウジングから離脱させようとした際に、前記外側に撓み変形している前記ロックアームの前記係合部と係合することで、前記第２のコネクタハウジングの離脱動作によって、前記パネルの前記取付孔に対する係止を解除されている状態の前記仮係止アームが前記パネルの前記取付孔に再係止する位置まで、前記第１のコネクタハウジングを引き移動させる脱落防止リブが、前記脱落防止手段として突設されている
ことを特徴とする請求項１に記載のパネル固定型のコネクタ装置。
【発明の詳細な説明】
【技術分野】
【０００１】
本発明は、パネルを挟んで第１のコネクタハウジングと第２のコネクタハウジングとが嵌合されるパネル固定型のコネクタ装置に関するものである。
【背景技術】
【０００２】
図１３は特許文献１に記載された従来のこの種のコネクタ装置の構成を示している。このコネクタ装置は、パネルＰの取付孔ＰａにパネルＰに直交する方向の一方側から装着される第１のコネクタハウジング１１０と、パネルＰを挟んでパネルＰに直交する方向の他方側から前記取付孔Ｐａを通して第１のコネクタハウジング１１０に嵌合される第２のコネクタハウジング１６０と、を備えている。
【０００３】
各コネクタハウジング１１０、１６０には、両コネクタハウジング１１０、１６０を嵌合したときに互いに電気的に接続される図示略の端子金具が収容されており、それにより、それぞれ第１コネクタと第２コネクタとが構成されている。
【０００４】
第１のコネクタハウジング１１０には、パネルＰの取付孔Ｐａに一方側から挿入された際に、取付孔Ｐａの周縁に摺接することで初期位置から内方に撓み変形し、更に所定位置まで挿入された際に撓みから初期位置に復帰することで係止凸部１１３を取付孔Ｐａの周縁に係止させ、それにより、一方側への第１のコネクタハウジング１１０の移動を阻止した状態でパネルＰの取付孔Ｐａに第１のコネクタハウジング１１０を仮係止する仮係止アーム１１２が設けられている。
【０００５】
第２のコネクタハウジング１６０には、パネルＰの取付孔Ｐａの周縁に係止することで第２のコネクタハウジング１６０をパネルＰに本固定する本固定手段１７０と、仮係止アーム１１２の係止凸部１１３がパネルＰの取付孔Ｐａに係止している状態の第１のコネクタハウジング１１０に第２のコネクタハウジング１６０を嵌合させる際に、その嵌合動作に伴って仮係止アーム１１２を内方に撓ませてパネルＰの取付孔Ｐａに対する仮係止アーム１１２の係止を解除する仮係止解除手段１８０が設けられている。
【０００６】
また、第１のコネクタハウジング１１０と第２のコネクタハウジング１６０の間には、第１のコネクタハウジング１１０と第２のコネクタハウジング１６０とが互いに完全嵌合した際に第１のコネクタハウジング１１０と第２のコネクタハウジング１６０とを互いにロックするメインロック手段１９０が設けられている。
【０００７】
メインロック手段１９０は、第１のコネクタハウジング１１０に設けられたロックアーム１９１と、第２のコネクタハウジング１６０に設けられた段差部１９２とからなる。段差部１９２は、後方に向かうに従って上昇した傾斜面を凹設したものであり、後端部が係止部となる。ロックアーム１９１の先端には下面係合凸部１９１ａと上面係合凸部１９１ｂとが設けられている。
【０００８】
ロックアーム１９１と段差部１９２は、第２のコネクタハウジング１６０を第１のコネクタハウジング１１０に嵌合する際、嵌合途中では、ロックアーム１９１の下面係合凸部１９１ａと段差部１９２とが互いに干渉することでロックアーム１９１が初期位置から外側に撓み、更に嵌合を進めて完全嵌合状態になったときに、ロックアーム１９１が撓みから初期位置に復帰することで、ロックアーム１９１の下面係合凸部１９１ａが段差部１９２の後端部と係合し、それにより第１のコネクタハウジング１１０と第２のコネクタハウジング１６０をロックする構成とされている。
【０００９】
また、ロックアーム１９１と段差部１９２は、パネルＰの取付孔Ｐａにロックアーム１９１の先端が挿入された状態で、第２のコネクタハウジング１６０が第１のコネクタハウジング１１０に嵌合され、嵌合途中においてロックアーム１９１の下面係合凸部１９１ａと段差部１９２とが互いに干渉してロックアーム１９１が外側に撓んだ状態のとき、ロックアーム１９１の上面係合凸部１９１ｂがパネルＰと干渉することで、第１のコネクタハウジング１１０と第２のコネクタハウジング１６０とが互いに完全嵌合するまでの間、第１のコネクタハウジング１１０がパネルＰに対して相対移動することを規制し、且つ、第１のコネクタハウジング１１０と第２のコネクタハウジング１６０とが互いに完全嵌合した状態においては、撓みから初期位置に復帰したロックアーム１９１の上面係合凸部１９１ｂがパネルＰと干渉する位置から外れることで、第１のコネクタハウジング１１０がパネルＰに対して相対移動することを許容する移動規制許容手段１９５の役目も果たすように構成されている。
【００１０】
このコネクタ装置を使用する場合は、まず、第１のコネクタハウジング１１０をパネルＰに直交する方向の一方側からパネルＰの取付孔Ｐａに装着する。その際、仮係止アーム１１２の先端が取付孔Ｐａに挿入されるに従い、仮係止アーム１１２の係止凸部１１３が取付孔Ｐａの周縁に摺接して仮係止アーム１１２が内方に撓み変形する。更に所定位置まで挿入されると、仮係止アーム１１２が撓みから初期位置に復帰し、仮係止アーム１１２の係止凸部１１３がパネルＰの取付孔Ｐａの周縁に係止し、それにより第１のコネクタハウジング１１０がパネルＰに仮係止される。
【００１１】
次に、仮係止アーム１１２の係止凸部１１３がパネルＰの取付孔Ｐａに係止している状態の第１のコネクタハウジング１１０に、パネルＰの反対側から第２のコネクタハウジング１６０を嵌合させる。そうすると、その嵌合動作に伴って、仮係止解除手段１８０が仮係止アーム１１２を内方に撓ませ、パネルＰの取付孔Ｐａに対する仮係止アーム１１２の係止凸部１１３の係止を解除する。
【００１２】
また、第１のコネクタハウジング１１０に対する第２のコネクタハウジング１６０の嵌合動作の際に、メインロック手段１９０を構成する第１のコネクタハウジング側のロックアーム１９１の下面係合凸部１９１ａが、パネルＰの反対側（第２のコネクタハウジング１６０側）において、第２のコネクタハウジング１６０側の段差部１９２に乗り上げることで、ロックアーム１９１が外側に撓み変形し、ロックアーム１９１の上面係合凸部１９１ｂが、パネルＰの取付孔Ｐａの周縁に係合することにより、第１のコネクタハウジング１１０がパネルＰに対し相対移動しないように規制される。従って、パネルＰに固定された状態の第１のコネクタハウジング１１０に第２のコネクタハウジング１６０を嵌合することができる。
【００１３】
第１のコネクタハウジング１１０に対し第２のコネクタハウジング１６０が完全に嵌合すると、メインロック手段１９０のロックアーム１９１の下面係合凸部１９１ａが段差部１９２を乗り越えて、ロックアーム１９１が撓みから初期位置に復帰し、下面係合凸部１９１ａが段差部１９２の後端部に係合する。これにより、第１のコネクタハウジング１１０と第２のコネクタハウジング１６０とが互いにロックされる。
【００１４】
また、この状態になったとき、ロックアーム１９１が撓みから初期位置に復帰することによりロックアーム１９１の上面係合凸部１９１ｂがパネルＰの取付孔Ｐａの周縁と係合する位置を外れるので、第１のコネクタハウジング１１０はパネルＰに対し相対移動できるようになる。従って、第１のコネクタハウジング１１０と嵌合した第２のコネクタハウジング１６０をパネルＰ側に押し付けることによって、第２のコネクタハウジング１６０に設けた本固定手段１７０をパネルＰの取付孔Ｐａの周縁に係止させることができ、それにより第２のコネクタハウジング１６０および第１のコネクタハウジング１１０をパネルＰに本固定することができる。
【先行技術文献】
【特許文献】
【００１５】
【特許文献１】特開２００５−２５９５５３号公報
【発明の概要】
【発明が解決しようとする課題】
【００１６】
ところで、上述の従来のコネクタ装置においては、次のような問題があることが分かった。
【００１７】
即ち、仮係止アーム１１２の係止凸部１１３がパネルＰの取付孔Ｐａに係止している状態の第１のコネクタハウジング１１０に対し、パネルＰの反対側から第２のコネクタハウジング１６０を嵌合させる際に、嵌合途中の状態で、仮係止解除手段１８０の働きにより仮係止アーム１１２のパネルＰの取付孔Ｐａの周縁に対する係止を解除することになるわけであるが、その嵌合途中で、もしも嵌合を中止して第２のコネクタハウジング１６０を第１のコネクタハウジング１１０から離脱させようとした場合に、仮係止アーム１１２の係止凸部１１３が取付孔Ｐａの周縁に再係止する前に第１のコネクタハウジング１１０から第２のコネクタハウジング１６０が離脱してしまうおそれがあり、そうすると、第１のコネクタハウジング１１０がパネルＰから脱落するおそれがあることが分かった。
【００１８】
本発明は、上述した事情に鑑みてなされたものであり、その目的は、予めパネルの取付孔に仮係止した状態の第１のコネクタハウジングに対し第２のコネクタハウジングを嵌合する途中で、何らかの事情により嵌合を取り止めて、第１のコネクタハウジングから第２のコネクタハウジングを離脱させようとした場合にも、第１のコネクタハウジングがパネルから脱落することのないように保証したパネル固定型のコネクタ装置を提供することにある。
【課題を解決するための手段】
【００１９】
本発明の上記目的は、下記の構成により達成される。
（１）  パネルの取付孔に前記パネルに直交する方向の一方側から装着される第１のコネクタハウジングと、前記パネルを挟んで前記パネルに直交する方向の他方側から前記取付孔を通して前記第１のコネクタハウジングに嵌合される第２のコネクタハウジングと、を備えたパネル固定型のコネクタ装置において、
前記第１のコネクタハウジングには、前記パネルの前記取付孔に前記一方側から挿入された際に前記取付孔の周縁にアームの外側傾斜面が摺接することで初期位置から内方に撓み変形し、更に所定位置まで挿入された際に撓みから初期位置に復帰することで係止部を前記取付孔の周縁に係止させ、それにより、前記一方側への第１のコネクタハウジングの移動を阻止した状態で前記パネルの前記取付孔に前記第１のコネクタハウジングを仮係止する仮係止アームが設けられ、
前記第２のコネクタハウジングには、
前記パネルの前記取付孔の周縁に係止することで前記第２のコネクタハウジングを前記パネルに本固定する本固定手段と、
前記仮係止アームが前記パネルの前記取付孔に係止している状態の前記第１のコネクタハウジングに前記第２のコネクタハウジングを嵌合させる際に、その嵌合動作に伴って前記仮係止アームを内方に撓ませて前記パネルの前記取付孔に対する前記仮係止アームの係止を解除する仮係止解除手段と、が設けられ、
更に、前記第１のコネクタハウジングと前記第２のコネクタハウジングには、
前記仮係止アームが前記パネルの前記取付孔に係止している状態の前記第１のコネクタハウジングに前記第２のコネクタハウジングを嵌合させる際に、前記第１のコネクタハウジングと前記第２のコネクタハウジングとが互いに完全嵌合するまでは前記第１のコネクタハウジングが前記パネルに対して相対移動することを規制し、且つ、前記第１のコネクタハウジングと前記第２のコネクタハウジングとが互いに完全嵌合した状態においては前記第１のコネクタハウジングが前記パネルに対して相対移動することを許容する移動規制許容手段と、
前記第１のコネクタハウジングと前記第２のコネクタハウジングとが互いに完全嵌合した際に前記第１のコネクタハウジングと前記第２のコネクタハウジングとを互いにロックするメインロック手段と、
前記仮係止アームが前記パネルの前記取付孔に係止している状態の前記第１のコネクタハウジングに前記第２のコネクタハウジングを中途まで嵌合させることで、前記仮係止解除手段により前記仮係止アームの前記パネルの前記取付孔に対する係止を解除させ、その状態で、前記第１のコネクタハウジングに対する前記第２のコネクタハウジングの嵌合を中止して前記第２のコネクタハウジングを前記第１のコネクタハウジングから離脱させようとした際に、前記第２のコネクタハウジングの離脱動作によって、前記パネルの前記取付孔に対する係止を解除されている状態の前記仮係止アームが前記パネルの前記取付孔に再係止する位置まで前記第１のコネクタハウジングを引き移動させて、前記仮係止アームを前記パネルの前記取付孔に再係止させ、それにより、前記第１のコネクタハウジングの前記パネルからの脱落を阻止する脱落防止手段と、が設けられている
ことを特徴とするパネル固定型のコネクタ装置。
【００２０】
（２）  前記メインロック手段は、前記第１のコネクタハウジングに設けられたロックアームと、前記第２のコネクタハウジングに設けられたロック凸部とからなり、前記第２のコネクタハウジングを前記第１のコネクタハウジングに嵌合する際、嵌合途中では、前記ロックアームと前記ロック凸部とが互いに干渉することで前記ロックアームが初期位置から外側に撓み、更に嵌合を進めて完全嵌合状態になったときに、前記ロックアームが撓みから初期位置に復帰することで、前記ロックアームに設けられた係合部が前記ロック凸部と係合して、それにより前記第１のコネクタハウジングと前記第２のコネクタハウジングをロックする構成とされ、
前記ロックアームと前記ロック凸部は、前記パネルの前記取付孔に前記ロックアームの前記係合部が挿入された状態で、前記第２のコネクタハウジングが前記第１のコネクタハウジングに嵌合され、嵌合途中において前記ロックアームと前記ロック凸部とが互いに干渉して前記ロックアームが外側に撓んだ状態のとき、前記ロックアームの前記係合部が前記パネルと干渉することで、前記第１のコネクタハウジングと前記第２のコネクタハウジングとが互いに完全嵌合するまでの間、前記第１のコネクタハウジングが前記パネルに対して相対移動することを規制し、且つ、前記第１のコネクタハウジングと前記第２のコネクタハウジングとが互いに完全嵌合した状態においては、撓みから初期位置に復帰した前記ロックアームの前記係合部が前記パネルと干渉する位置から外れることで、前記第１のコネクタハウジングが前記パネルに対して相対移動することを許容する前記移動規制許容手段の役目を果たす構成とされ、
更に前記ロック凸部には、前記仮係止アームが前記パネルの前記取付孔に係止している状態の前記第１のコネクタハウジングに前記第２のコネクタハウジングを中途まで嵌合させることで、前記仮係止解除手段により前記仮係止アームの前記パネルの前記取付孔に対する係止を解除させ、その状態で、前記第１のコネクタハウジングに対する前記第２のコネクタハウジングの嵌合を中止して前記第２のコネクタハウジングを前記第１のコネクタハウジングから離脱させようとした際に、前記外側に撓み変形している前記ロックアームの前記係合部と係合することで、前記第２のコネクタハウジングの離脱動作によって、前記パネルの前記取付孔に対する係止を解除されている状態の前記仮係止アームが前記パネルの前記取付孔に再係止する位置まで、前記第１のコネクタハウジングを引き移動させる脱落防止リブが、前記脱落防止手段として突設されている
ことを特徴とする上記（１）に記載のパネル固定型のコネクタ装置。
【００２１】
上記（１）の構成のコネクタ装置によれば、仮係止アームがパネルの取付孔に係止している状態の第１のコネクタハウジングに第２のコネクタハウジングを中途まで嵌合させることで、仮係止解除手段により仮係止アームのパネルの取付孔に対する係止を解除させ、その状態で、第１のコネクタハウジングに対する第２のコネクタハウジングの嵌合を中止して第２のコネクタハウジングを第１のコネクタハウジングから離脱させようとした際に、脱落防止手段の作用によって、第２のコネクタハウジングの離脱動作により、パネルの取付孔に対する係止を解除されている状態の仮係止アームがパネルの取付孔に再係止する位置まで第１のコネクタハウジングを引き移動させることができ、それにより、仮係止アームをパネルの取付孔に再係止させることができて、第１のコネクタハウジングのパネルからの脱落を阻止することができる。
【００２２】
上記（２）の構成のコネクタ装置によれば、ロックアームと係合するロック凸部に脱落防止手段としての脱落防止リブを設けているので、第１のコネクタハウジングに第２のコネクタハウジングを嵌合する途中で嵌合を中止して第２のコネクタハウジングを第１のコネクタハウジングから離脱させようとした際に、外側に撓み変形しているロックアームの係合部と脱落防止リブが係合することで、第２のコネクタハウジングの離脱動作によって第１のコネクタハウジングを引き移動させることができ、係止解除されている状態の仮係止アームをパネルの取付孔に再係止させることができ、それにより、第１のコネクタハウジングのパネルからの脱落を防止することができる。
【発明の効果】
【００２３】
本発明によれば、予めパネルの取付孔に仮係止した状態の第１のコネクタハウジングに対し第２のコネクタハウジングを嵌合する途中で、何らかの事情により嵌合を取り止めて、第１のコネクタハウジングから第２のコネクタハウジングを離脱させようとした場合にも、第１のコネクタハウジングがパネルから脱落することのないように保証することができる。
【００２４】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００２５】
【図１】図１は本発明の実施形態のコネクタ装置の取付前の状態を示す斜視図である。
【図２】図２（ａ）は第１のコネクタハウジング１０の構成を示す図１のＩＩａ−ＩＩａ矢視断面図、図２（ｂ）は第２のコネクタハウジング６０の構成を示す図１のＩＩｂ−ＩＩｂ矢視断面図である。
【図３】図３は第１のコネクタハウジング１０の仮係止アーム２０をパネルＰの取付孔Ｐａに仮係止させた状態を示す斜視図である。
【図４】図４は図３と同じ状態を示す側面図である。
【図５】図５はパネルの取付孔に仮係止した第１のコネクタハウジング１０に第２のコネクタハウジング５０を嵌合する際の嵌合前の状態を示す平面図である。
【図６】図６は図５の次の段階として、第１のコネクタハウジング１０に第２のコネクタハウジング２０を嵌合する際の中途嵌合の状態を示す平面図である。
【図７】図７は図６の中途嵌合時の状態を示す側断面図である。
【図８】図８は図６の中途嵌合時の状態から嵌合を中止して第２のコネクタハウジング６０を第１のコネクタハウジング１０から離脱させようとしている状態を示す平面図である。
【図９】図９は図８の状態のときの側断面図である。
【図１０】図１０は脱落防止手段（脱落防止リブ８２）の働きにより、第１のコネクタハウジング１０を第２のコネクタハウジング６０の離脱動作により引き移動して、その結果、仮係止アーム２０をパネルＰの取付孔の周縁に再係止させた状態を示す平面図である。
【図１１】図１１は図１０の次の段階として、第２のコネクタハウジング６０を第１のコネクタハウジング１０から離脱させた状態を示す平面図である。
【図１２】図１２は脱落防止手段（脱落防止リブ８２）が設けられていない場合の本発明の実施形態に対する比較例についての説明図で、図１２は（ａ）は中途嵌合時の状態から嵌合を中止して第２のコネクタハウジング６０を第１のコネクタハウジング１０から離脱させようとしている状態を示す側断面図、図１２（ｂ）はその際に仮係止アームがパネルの取付孔に再係止するに至らず、その結果、第２のコネクタハウジング６０が第１のコネクタハウジング１０から離脱するのに伴って、第１のコネクタハウジング１０がパネルＰから脱落することを示す側断面図である。
【図１３】図１３は特許文献１に記載された従来のこの種のコネクタ装置の構成を示す斜視図である。
【発明を実施するための形態】
【００２６】
以下、本発明の実施形態を図面を参照して説明する。
図１は実施形態のコネクタ装置の取付前の状態を示す斜視図、図２（ａ）は図１のＩＩａ−ＩＩａ矢視断面図、（ｂ）は図１のＩＩｂ−ＩＩｂ矢視断面図、図３は第１のコネクタハウジングをパネルの取付孔に仮係止させた状態を示す斜視図、図４はその側面図である。
【００２７】
実施形態のパネル固定型のコネクタ装置は、図１に示すように、パネルＰの取付孔ＰａにパネルＰに直交する方向の一方側から装着される第１のコネクタハウジング１０と、パネルＰを挟んでパネルＰに直交する方向の他方側から取付孔Ｐａを通して第１のコネクタハウジング１０に嵌合される第２のコネクタハウジング６０と、を備えている。
【００２８】
各コネクタハウジング１０、６０には、両コネクタハウジング１０、６０を嵌合したときに互いに電気的に接続される図示略の端子金具が収容されており、それにより、それぞれ第１コネクタと第２コネクタとが構成されている。なお、各コネクタハウジング１０、６０の説明において、前側とは相手側コネクタハウジングに嵌合する前方側を指し、後側とはその反対側を指す。また、上側および下側とは、図１において示す上側と下側を指すものとする。
【００２９】
第１のコネクタハウジング１０は、図２（ａ）に示すように、前半部に筒状嵌合部１１ａが形成され後半部に端子収容室１５が形成されたコネクタ本体部１１と、コネクタ本体部１１の軸線方向中間部の上側を覆うように設けられた上部カバー部１２とを有しており、コネクタ本体部１１の端子収容室１５にオス端子金具（図示略）が収容され、各オス端子金具の先端が筒状嵌合部１１ａの内部に突出するようになっている。
【００３０】
図１および図３に示すように、この第１のコネクタハウジング１０の左右両側部には、仮係止アーム２０が設けられている。これら仮係止アーム２０は、パネルＰの取付孔Ｐａに一方側から挿入された際にパネルＰの取付孔Ｐａの周縁にアームの外側傾斜面２１が摺接することで初期位置から内方に撓み変形し、更に所定位置まで挿入された際に撓みから初期位置に復帰することで係止段部２２を取付孔Ｐａの周縁に係止させ、それにより、一方側への第１のコネクタハウジング１０の移動を阻止した状態でパネルＰの取付孔Ｐａに第１のコネクタハウジング１０を仮係止するものである。
【００３１】
仮係止アーム２０は、前端部がコネクタ本体部１１の側部に固定され、自由端が後方に延びた片持状に形成されており、係止段部２２の前側に位置するアーム外側面に、前方から後方へ行くほど外側に張り出すように傾斜した外側傾斜面２１が形成されている。
【００３２】
また、第２のコネクタハウジング６０は、図１および図２（ｂ）に示すように、第１のコネクタハウジング１０のコネクタ本体部１１の筒状嵌合部の内部に嵌まる角柱状のコネクタ本体部６１と、その上方に間隔をおいて設けられた上部カバー壁６２と、それらの後端に設けられたフランジ６３とを有しており、コネクタ本体部６１の端子収容室６５にメス端子金具（図示略）が収容され、第１のコネクタハウジング１０のコネクタ本体部１１の筒状嵌合部１１ａに第２のコネクタハウジング６０のコネクタ本体部６１を嵌合したとき、第１のコネクタハウジング１０に収容されたオス端子金具と第２のコネクタハウジング６０に収容されたメス端子金具とが電気的に接続されるようになっている。
【００３３】
図１に示すように、この第２のコネクタハウジング６０の上部カバー壁６２の下面には、第１のコネクタハウジング１０のコネクタ本体部１１の上面に形成したリブ１６が嵌合するスライド溝６６が設けられ、スライド溝６６にリブ１６が嵌まることで、第１のコネクタハウジング１０と第２のコネクタハウジング６０の嵌合をガイドできるようになっている。
【００３４】
また、この第２のコネクタハウジング６０の上部カバー壁６２の左右両側部には、パネルＰの取付孔Ｐａに挿入された際に取付孔Ｐａの周縁に係止することで第２のコネクタハウジング６０をパネルＰに本固定する本固定アーム（本体固定手段）７５が設けられている。これらの本固定アーム７５には、フランジ６３との間にパネルＰをガタツキなく挟むことのできる係止凸部７６が設けられている。
【００３５】
また、この第２のコネクタハウジング６０の上部カバー壁６２の左右両側部の第１のコネクタハウジング１０側の仮係止アーム２０に対応する位置には、仮係止アーム２０の係止段部２２がパネルＰの取付孔Ｐａの周縁に係止している状態の第１のコネクタハウジング１０に第２のコネクタハウジング６０を嵌合させる際に、その嵌合動作に伴って仮係止アーム２０を内方に撓ませてパネルＰの取付孔Ｐａの周縁に対する仮係止アーム２０の係止段部２２の係止を解除する仮係止解除手段７０が設けられている。これらの仮係止解除手段７０は、第１のコネクタハウジング１０に第２のコネクタハウジング６０を初期嵌合させた際に、仮係止アーム２０の外側傾斜面２１に摺動することで、仮係止アーム２０を内側に撓ませることができる構成となっている。
【００３６】
また、第１のコネクタハウジング１０と第２のコネクタハウジング６０の間には、第１のコネクタハウジング１０と第２のコネクタハウジング６０とが互いに完全嵌合した際に、第１のコネクタハウジング１０と第２のコネクタハウジング６０とを互いにロックするメインロック手段９０が設けられている。
【００３７】
この場合のメインロック手段９０は、第１のコネクタハウジング１０に設けられたロックアーム３０と、第２のコネクタハウジング６０に設けられたロック凸部８０とからなる。
【００３８】
ロックアーム３０は、第１のコネクタハウジング１０のコネクタ本体部１１の上面と上部カバー部１２との間に設けられており、後端がコネクタ本体部１１に固定され、自由端が前方に延出した片持状に形成されている。このロックアーム３０の前端（自由端）には、ロックアーム３０の基端側の幅よりも左右に張り出した係合部３１が設けられており、この係合部３１の後端面が係合壁３２となっている。
【００３９】
一方、ロック凸部８０は、第２のコネクタハウジング６０の上部カバー壁６２の上面に、ロックアーム３０の前端の左右に張り出した係合部３１の位置に対応させて設けられている。これらのロック凸部８０の後端面は、ロックアーム３０の係合部３１の後端面の係合壁３２に係合する係合壁８１となっている。
【００４０】
そして、ロックアーム３０とロック凸部８０は、第２のコネクタハウジング６０を第１のコネクタハウジング１０に嵌合する際、嵌合途中では、ロックアーム３０の係合部３１とロック凸部８０とが互いに干渉することでロックアーム３０が初期位置から外側（図の上側）に撓み、更に嵌合を進めて完全嵌合状態になったときに、ロックアーム３０が撓みから初期位置に復帰することで、ロックアーム３０の係合部３１の係合壁３２がロック凸部８０の係合壁８１と係合し、それにより、第１のコネクタハウジング１０と第２のコネクタハウジング６０をロックする構成とされている。
【００４１】
また、ロックアーム３０とロック凸部８０は、仮係止アーム２０がパネルＰの取付孔Ｐａに係止している状態の第１のコネクタハウジング１０に第２のコネクタハウジング６０を嵌合させる際に、第１のコネクタハウジング１０と第２のコネクタハウジング６０とが互いに完全嵌合するまでは、第１のコネクタハウジング１０がパネルＰに対して相対移動することを規制し、且つ、第１のコネクタハウジング１０と第２のコネクタハウジング６０とが互いに完全嵌合した状態においては、第１のコネクタハウジング１０がパネルＰに対して相対移動することを許容する移動規制許容手段９５の役目も果たすようになっている。
【００４２】
即ち、ロックアーム３０とロック凸部８０は、パネルＰの取付孔Ｐａにロックアーム３０の先端が挿入された状態で、第２のコネクタハウジング６０が第１のコネクタハウジング１０に嵌合され、嵌合途中においてロックアーム３０の係合部３１とロック凸部８０とが互いに干渉してロックアーム３０が外側に撓んだ状態のとき、ロックアーム３０の係合部３１がパネルＰと干渉（図７参照）することで、第１のコネクタハウジング１０と第２のコネクタハウジング６０とが互いに完全嵌合するまでの間、第１のコネクタハウジング１０がパネルＰに対して相対移動することを規制し、且つ、第１のコネクタハウジング１０と第２のコネクタハウジング６０とが互いに完全嵌合した状態においては、撓みから初期位置に復帰したロックアーム３０の係合部３１がパネルＰと干渉する位置から外れることで、第１のコネクタハウジング１０がパネルＰに対して相対移動することを許容する移動規制許容手段９５の役目も果たすように構成されている。
【００４３】
また、第２のコネクタハウジング６０のロック凸部８０の上面には、ロックアーム３０がパネルＰの取付孔Ｐａに係止している状態の第１のコネクタハウジング１０に第２のコネクタハウジング６０を中途まで嵌合させることで、仮係止解除手段７０により仮係止アーム２０のパネルＰの取付孔Ｐａに対する係止を解除させ、その状態で、第１のコネクタハウジング１０に対する第２のコネクタハウジング６０の嵌合を中止して第２のコネクタハウジング６０を第１のコネクタハウジング１０から離脱させようとした際に、外側に撓み変形しているロックアーム３０の係合部３１と係合することで、第２のコネクタハウジング６０の離脱動作によって、パネルＰの取付孔Ｐａに対する係止を解除されている状態の仮係止アーム２０がパネルＰの取付孔Ｐａに再係止する位置まで、第１のコネクタハウジング１０を引き移動させる脱落防止リブ８５が、脱落防止手段として突設されている。
【００４４】
次に作用を説明する。
このコネクタ装置を使用する場合は、まず、第１のコネクタハウジング１０をパネルＰに直交する方向の一方側からパネルＰの取付孔Ｐａに装着する。その際、仮係止アーム２０の先端が取付孔Ｐａに挿入されるに従い、仮係止アーム２０の外側傾斜面２１が取付孔Ｐａの周縁に摺接して仮係止アーム２０が内方に撓み変形する。更に所定位置まで挿入されると、図３および図４に示すように、仮係止アーム２０が撓みから初期位置に復帰すると共に、仮係止アーム２０の係止段部２２がパネルＰの取付孔Ｐａの周縁に係止し、それにより第１のコネクタハウジング１０がパネルＰに仮係止される。
【００４５】
次に、図５に示すように、仮係止アーム２０の係止段部２２がパネルＰの取付孔Ｐａに係止している状態の第１のコネクタハウジング１０に対して、パネルＰの反対側から第２のコネクタハウジング６０を嵌合させる（図５中の矢印Ａで示す動き）。そうすると、その嵌合動作に伴って、嵌合途中において図６に示すように、仮係止解除手段７０が仮係止アーム２０を内方（図６中矢印Ｘ１の方向）に撓ませ、パネルＰの取付孔Ｐａに対する仮係止アーム２０の係止段部２２の係止を解除する。この段階で、仮係止アーム２０の係止段部２２はパネルＰの取付孔Ｐａの周縁に対向する位置から一方側に押し戻され、パネルＰの取付孔Ｐａの周縁には仮係止アーム２０の外側傾斜面２１が対向するようになる。
【００４６】
また、図７に示すように、第１のコネクタハウジング１０に対する第２のコネクタハウジング６０の嵌合動作の際に、メインロック手段９０を構成する第１のコネクタハウジング１０側のロックアーム３０の係合部３１が、パネルＰの反対側（第２のコネクタハウジング６０側）において、第２のコネクタハウジング６０側のロック凸部８０に乗り上げることで、ロックアーム３０が外側（上側）に撓み変形し、ロックアーム３０の係合部３１が、パネルＰの取付孔Ｐａの周縁に係合し、これにより第１のコネクタハウジング１０がパネルＰに対し相対移動しないように規制される。従って、パネルＰに固定された状態の第１のコネクタハウジング１０に第２のコネクタハウジング６０を嵌合することができる。
【００４７】
そして、第１のコネクタハウジング１０に第２のコネクタハウジング６０が完全に嵌合すると、メインロック手段９０のロックアーム３０の係合部３１がロック凸部８０を乗り越えて、ロックアーム３０が撓みから初期位置に復帰し、係合部３１の係止壁３２がロック凸部８０の係止壁８１に係合する。これにより、第１のコネクタハウジング１０と第２のコネクタハウジング６０とが互いに離脱しないようにロックされる。
【００４８】
また、この状態になったとき、ロックアーム３０が撓みから初期位置に復帰することによりロックアーム３０の係合部３１がパネルＰの取付孔Ｐａの周縁と係合する位置を外れるので、第１のコネクタハウジング１０はパネルＰに対し相対移動できるようになる。従って、第１のコネクタハウジング１０と嵌合した第２のコネクタハウジング６０をパネルＰ側に押し付けることによって、第２のコネクタハウジング６０に設けた本固定アーム７５の係止凸部７６をパネルＰの取付孔Ｐａの周縁に係止させることができ、それにより、第２のコネクタハウジング６０および第１のコネクタハウジング１０をパネルＰに本固定することができる。
【００４９】
ところで、図６に示すように、仮係止アーム２０がパネルＰの取付孔Ｐａに係止している状態の第１のコネクタハウジング１０に第２のコネクタハウジング６０を中途まで嵌合させることで、図８に示すように、仮係止解除手段７０により仮係止アーム３０のパネルＰの取付孔Ｐａに対する係止を解除させている状態で、何らかの事情により、第１のコネクタハウジング１０に対する第２のコネクタハウジング６０の嵌合を中止して、第２のコネクタハウジング６０を第１のコネクタハウジング１０から矢印Ｂのように離脱させる場合があり得る。
【００５０】
そうした場合、第１のコネクタハウジング１０には、第２のコネクタハウジング６０の離脱力に伴う摩擦による引き移動力が幾らか作用するものの、第１のコネクタハウジング１０の仮係止アーム２０の外側傾斜面２１がパネルＰの取付孔Ｐａの周縁に摺接することで、仮係止アーム２０の弾性復元力（図８中矢印Ｘ２で示す方向の復元力）により第１のコネクタハウジング１０に、矢印Ｂで示す引き移動方向（第２のコネクタハウジング６０の離脱方向）とは逆方向（点線矢印Ｈ方向）の押し戻し力が作用する。
【００５１】
図１２は脱落防止リブ８５がない比較例の場合の説明図である。
いま、図１２（ａ）に示すように、第２のコネクタハウジング６０の離脱力に伴う摩擦による引き移動力Ｆ１が第１のコネクタハウジング１０に矢印Ｂ方向（第２のコネクタハウジング６０の離脱方向）に作用しているものとすると、仮係止アーム２０（図８参照）の外側傾斜面２１とパネルＰの取付孔Ｐａの周縁との摺動に伴い、仮係止アーム２０の弾性復元力によって第１のコネクタハウジング１０には、矢印Ｈ方向（第２のコネクタハウジング６０の離脱方向と反対方向）に押し戻し力Ｆ２が作用する。
【００５２】
この押し戻し力Ｆ２が引き移動力Ｆ１より大きい場合（Ｆ１＜Ｆ２の場合）、第１のコネクタハウジング１０は矢印Ｈ方向に押し戻されることになり、その結果、第１のコネクタハウジング１０と第２のコネクタハウジング６０が離脱した段階で、図１２（ｂ）に示すように、第１のコネクタハウジング１０がパネルＰから脱落してしまうことになる。
【００５３】
その点、本実施形態のコネクタ装置では、図７に示すように、ロックアーム３０と係合するロック凸部８０の上面に脱落防止手段としての脱落防止リブ８５を設けているので、図８に示すように、第１のコネクタハウジング１０に第２のコネクタハウジング６０を嵌合する途中で嵌合を中止して、第２のコネクタハウジング６０を第１のコネクタハウジング１０から離脱させようとした際に、図９に示すように、外側に撓み変形しているロックアーム３０の係合部３１と脱落防止リブ８５とが係合することで、第２のコネクタハウジング６０の離脱動作によって第１のコネクタハウジング１０を図９中矢印Ｃのように引き移動させることができる。
【００５４】
つまり、脱落防止リブ８５がロックアーム３０の係合部３１に引っ掛かることによって、脱落防止リブ８５による保持力Ｆ３が矢印Ｂ方向に加わることになり、第１のコネクタハウジング１０に作用する矢印Ｂ方向の力の合計が矢印Ｈ方向の力より大きくなる（Ｆ１＋Ｆ３＞Ｆ２）ことにより、第１のコネクタハウジング１０を矢印Ｂ方向と同方向の矢印Ｃのように引き移動させることができる。
【００５５】
従ってそれにより、図１０に示すように、係止解除されている状態の仮係止アーム３０を、パネルＰの取付孔Ｐａに再係止できる位置まで移動させることができて、再係止を達成することができる。その結果、図１１に示すように、第１のコネクタハウジング１０と第２のコネクタハウジング６０を離脱させても、第１のコネクタハウジング１０のパネルＰからの脱落を防止することができるようになる。
【００５６】
また、上記においては、嵌合途中で嵌合を中止して、第２のコネクタハウジング６０を第１のコネクタハウジング１０から離脱させる場合について述べたが、第１のコネクタハウジング１０と第２のコネクタハウジング６０が完全嵌合した状態から、第２のコネクタハウジング６０を離脱させる場合についても同様に、第１のコネクタハウジング１０がパネルＰから脱落するのを確実に防止することができる。
【００５７】
なお、脱落防止リブ８５の高さは、仮係止アーム２０がパネルＰの取付孔Ｐａに再係止するまで、脱落防止リブ８５とロックアーム３０の係合部３１の係合が外れないだけの高さに設定されている。
【００５８】
また、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００５９】
ここで、上述した本発明に係るパネル固定型のコネクタ装置の実施形態の特徴をそれぞれ以下［１］〜［２］に簡潔に纏めて列記する。
【００６０】
［１］  パネル（Ｐ）の取付孔（Ｐａ）に前記パネル（Ｐ）に直交する方向の一方側から装着される第１のコネクタハウジング（１０）と、前記パネル（Ｐ）を挟んで前記パネル（Ｐ）に直交する方向の他方側から前記取付孔（Ｐａ）を通して前記第１のコネクタハウジング（１０）に嵌合される第２のコネクタハウジング（６０）と、を備えたパネル固定型のコネクタ装置において、
前記第１のコネクタハウジング（１０）には、前記パネル（Ｐ）の前記取付孔（Ｐａ）に前記一方側から挿入された際に前記取付孔（Ｐａ）の周縁にアームの外側傾斜面（２１）が摺接することで初期位置から内方に撓み変形し、更に所定位置まで挿入された際に撓みから初期位置に復帰することで係止部（２２）を前記取付孔（Ｐａ）の周縁に係止させ、それにより、前記一方側への第１のコネクタハウジング（１０）の移動を阻止した状態で前記パネル（Ｐ）の前記取付孔（Ｐａ）に前記第１のコネクタハウジング（１０）を仮係止する仮係止アーム（２０）が設けられ、
前記第２のコネクタハウジング（６０）には、
前記パネル（Ｐ）の前記取付孔（Ｐａ）の周縁に係止することで前記第２のコネクタハウジング（６０）を前記パネル（Ｐ）に本固定する本固定手段（７５）と、
前記仮係止アーム（２０）が前記パネル（Ｐ）の前記取付孔（Ｐａ）に係止している状態の前記第１のコネクタハウジング（１０）に前記第２のコネクタハウジング（６０）を嵌合させる際に、その嵌合動作に伴って前記仮係止アーム（２０）を内方に撓ませて前記パネル（Ｐ）の前記取付孔（Ｐａ）に対する前記仮係止アーム（２０）の係止を解除する仮係止解除手段（７０）と、が設けられ、
更に、前記第１のコネクタハウジング（１０）と前記第２のコネクタハウジング（６０）には、
前記仮係止アーム（２０）が前記パネル（Ｐ）の前記取付孔（Ｐａ）に係止している状態の前記第１のコネクタハウジング（１０）に前記第２のコネクタハウジング（６０）を嵌合させる際に、前記第１のコネクタハウジング（１０）と前記第２のコネクタハウジング（６０）とが互いに完全嵌合するまでは前記第１のコネクタハウジング（１０）が前記パネル（Ｐ）に対して相対移動することを規制し、且つ、前記第１のコネクタハウジング（１０）と前記第２のコネクタハウジング（６０）とが互いに完全嵌合した状態においては前記第１のコネクタハウジング（１０）が前記パネル（Ｐ）に対して相対移動することを許容する移動規制許容手段（９５）と、
前記第１のコネクタハウジング（１０）と前記第２のコネクタハウジング（６０）とが互いに完全嵌合した際に前記第１のコネクタハウジング（１０）と前記第２のコネクタハウジング（６０）とを互いにロックするメインロック手段（９０）と、
前記仮係止アーム（２０）が前記パネル（Ｐ）の前記取付孔（Ｐａ）に係止している状態の前記第１のコネクタハウジング（１０）に前記第２のコネクタハウジング（６０）を中途まで嵌合させることで、前記仮係止解除手段（７０）により前記仮係止アーム（２０）の前記パネル（Ｐ）の前記取付孔（Ｐａ）に対する係止を解除させ、その状態で、前記第１のコネクタハウジング（１０）に対する前記第２のコネクタハウジング（６０）の嵌合を中止して前記第２のコネクタハウジング（６０）を前記第１のコネクタハウジング（１０）から離脱させようとした際に、前記第２のコネクタハウジング（６０）の離脱動作によって、前記パネル（Ｐ）の前記取付孔（Ｐａ）に対する係止を解除されている状態の前記仮係止アーム（２０）が前記パネル（Ｐ）の前記取付孔（Ｐａ）に再係止する位置まで前記第１のコネクタハウジング（１０）を引き移動させて、前記仮係止アーム（２０）を前記パネル（Ｐ）の前記取付孔（Ｐａ）に再係止させ、それにより、前記第１のコネクタハウジング（１０）の前記パネル（Ｐ）からの脱落を阻止する脱落防止手段（８５）と、が設けられている
ことを特徴とするパネル固定型のコネクタ装置。
【００６１】
［２］  前記メインロック手段（９０）は、前記第１のコネクタハウジング（１０）に設けられたロックアーム（３０）と、前記第２のコネクタハウジング（６０）に設けられたロック凸部（８０）とからなり、前記第２のコネクタハウジング（６０）を前記第１のコネクタハウジング（１０）に嵌合する際、嵌合途中では、前記ロックアーム（３０）と前記ロック凸部（８０）とが互いに干渉することで前記ロックアーム（３０）が初期位置から外側に撓み、更に嵌合を進めて完全嵌合状態になったときに、前記ロックアーム（３０）が撓みから初期位置に復帰することで、前記ロックアーム（３０）に設けられた係合部（３１）が前記ロック凸部（８０）と係合して、それにより前記第１のコネクタハウジング（１０）と前記第２のコネクタハウジング（６０）をロックする構成とされ、
前記ロックアーム（３０）と前記ロック凸部（８０）は、前記パネル（Ｐ）の前記取付孔（Ｐａ）に前記ロックアーム（３０）の前記係合部（３１）が挿入された状態で、前記第２のコネクタハウジング（６０）が前記第１のコネクタハウジング（１０）に嵌合され、嵌合途中において前記ロックアーム（３０）と前記ロック凸部（８０）とが互いに干渉して前記ロックアーム（３０）が外側に撓んだ状態のとき、前記ロックアーム（３０）の前記係合部（３１）が前記パネル（Ｐ）と干渉することで、前記第１のコネクタハウジング（１０）と前記第２のコネクタハウジング（６０）とが互いに完全嵌合するまでの間、前記第１のコネクタハウジング（１０）が前記パネル（Ｐ）に対して相対移動することを規制し、且つ、前記第１のコネクタハウジング（１０）と前記第２のコネクタハウジング（６０）とが互いに完全嵌合した状態においては、撓みから初期位置に復帰した前記ロックアーム（３０）の前記係合部（３１）が前記パネル（Ｐ）と干渉する位置から外れることで、前記第１のコネクタハウジング（１０）が前記パネル（Ｐ）に対して相対移動することを許容する前記移動規制許容手段（９５）の役目を果たす構成とされ、
更に前記ロック凸部（８０）には、前記仮係止アーム（２０）が前記パネル（Ｐ）の前記取付孔（Ｐａ）に係止している状態の前記第１のコネクタハウジング（１０）に前記第２のコネクタハウジング（６０）を中途まで嵌合させることで、前記仮係止解除手段（７０）により前記仮係止アーム（２０）の前記パネル（Ｐ）の前記取付孔（Ｐａ）に対する係止を解除させ、その状態で、前記第１のコネクタハウジング（１０）に対する前記第２のコネクタハウジング（６０）の嵌合を中止して前記第２のコネクタハウジング（６０）を前記第１のコネクタハウジング（１０）から離脱させようとした際に、前記外側に撓み変形している前記ロックアーム（３０）の前記係合部（３１）と係合することで、前記第２のコネクタハウジング（６０）の離脱動作によって、前記パネル（Ｐ）の前記取付孔（Ｐａ）に対する係止を解除されている状態の前記仮係止アーム（２０）が前記パネル（Ｐ）の前記取付孔（Ｐａ）に再係止する位置まで、前記第１のコネクタハウジング（１０）を引き移動させる脱落防止リブ（８５）が、前記脱落防止手段（８５）として突設されている
ことを特徴とする上記［１］に記載のパネル固定型のコネクタ装置。
【符号の説明】
【００６２】
Ｐ  パネル
Ｐａ  取付孔
１０  第１のコネクタハウジング
２０  仮係止アーム
２１  外側傾斜面
２２  係止段部（係止部）
３０  ロックアーム
３１  係合部
６０  第２のコネクタハウジング
７０  仮係止解除手段
７５  本固定アーム（本固定手段）
８０  ロック凸部
８５  脱落防止リブ（脱落防止手段）
９０  メインロック手段
９５  移動規制許容手段
【図１】
2014053206.tif 000003
【図２】
2014053206.tif 000004
【図３】
2014053206.tif 000005
【図４】
2014053206.tif 000006
【図５】
2014053206.tif 000007
【図６】
2014053206.tif 000008
【図７】
2014053206.tif 000009
【図８】
2014053206.tif 000010
【図９】
2014053206.tif 000011
【図１０】
2014053206.tif 000012
【図１１】
2014053206.tif 000013
【図１２】
2014053206.tif 000014
【図１３】
2014053206.tif 000015